(57)【要約】【課題】不要な磨耗による劣化を抑制できるとともに作業時間を短縮できる工具用ソケットを提供することを目的とする。【解決手段】  工具用ソケット１００は、アウターソケット１０と、インナーソケット２０と、コイルバネ３０と、ロック機構４０とを備える。コイルバネ３０は、インナーソケット２０の端面２１がアウターソケット１０の端面１１よりも突出する前方位置からインナーソケット２０の端面２１がアウターソケット１０の端面１１より奥方の後方位置に向かう方向へインナーソケット２０を付勢する。ロック機構４０は、楕円状バネ４１が前述の円周状インナー側溝部２２と係合することにより、インナーソケット２０が前方位置で固定され、かつ楕円状バネ４１と円周状インナー側溝部２２との係合が解かれることにより、インナーソケット２０が前方位置から解放される機構である。【選択図】図３
0003154146.tif 000002
【実用新案登録請求の範囲】
【請求項１】
アウターソケットと、
前記アウターソケット内で、前記アウターソケットに対して回転軸方向に前後移動可能であり、かつ前記アウターソケットと相対回動不能に係合するインナーソケットと、
前記インナーソケットと前記アウターソケットとの間に介在し、かつ前記インナーソケットの端面が前記アウターソケットの端面よりも突出する前方位置から前記インナーソケットの端面が前記アウターソケットの端面より奥方の後方位置に向かう方向へ前記インナーソケットを付勢するコイルバネと、
前記アウターソケットの内周面の円周状アウター側溝部に一部が保持される外周部と前記インナーソケットの外周面の円周状インナー側溝部と係合する内周部とを有するとともに、長軸の頂点の１つを含むように開口部が形成され、かつ前記開口部の幅を縮小する方向に付勢する楕円状バネが前記円周状インナー側溝部と係合することにより、前記インナーソケットが前記前方位置で固定され、かつ前記楕円状バネと前記円周状インナー側溝部との係合が解かれることにより、前記インナーソケットが前記前方位置から解放されるロック機構とを備えた
工具用ソケット。
【請求項２】
前記インナーソケットの前記円周状インナー側溝部より前記前方位置側に、前記後方位置から前記前方位置に向けて前記アウターソケットの内周面から離れるようにテーパー部が形成される
請求項１に記載の工具用ソケット。
【請求項３】
アウターソケットと、
前記アウターソケット内で、前記アウターソケットに対して回転軸方向に前後移動可能であり、かつ前記アウターソケットと相対回動不能に係合するインナーソケットと、
前記インナーソケットと前記アウターソケットとの間に介在し、かつ前記インナーソケットの端面が前記アウターソケットの端面よりも突出する前方位置から前記インナーソケットの端面が前記アウターソケットの端面より奥方の後方位置に向かう方向へ前記インナーソケットを付勢するコイルバネと、
前記インナーソケットの外周面の円周状インナー側溝部に一部が保持される内周部と前記アウターソケットの内周面の円周状アウター側溝部と係合する外周部とを有するとともに、長軸の頂点の１つを含むように開口部が形成され、かつ前記開口部の幅を拡大する方向に付勢する楕円状バネが前記円周状アウター側溝部と係合することにより、前記インナーソケットが前記前方位置で固定され、かつ前記楕円状バネと前記円周状アウター側溝部との係合が解かれることにより、前記インナーソケットが前記前方位置から解放されるロック機構とを備えた
工具用ソケット。
【請求項４】
前記アウターソケットの前記円周状アウター側溝部より前記後方位置側に、前記前方位置から前記後方位置に向けて前記インナーソケットの外周面に近づくようにテーパー部が形成される
請求項３に記載の工具用ソケット。
【請求項５】
アウターソケットと、
前記アウターソケット内で、前記アウターソケットに対して回転軸方向に前後移動可能であり、かつ前記アウターソケットと相対回動不能に係合するインナーソケットと、
前記インナーソケットと前記アウターソケットとの間に介在し、かつ前記インナーソケットの端面が前記アウターソケットの端面よりも突出する前方位置から前記インナーソケットの端面が前記アウターソケットの端面より奥方の後方位置に向かう方向へ前記インナーソケットを付勢するコイルバネと、
前記アウターソケットの内周面の円周状アウター側溝部に一部が保持される外周部と前記インナーソケットの外周面の円周状インナー側溝部と係合する内周部とを有するとともに、長軸の頂点の１つを含むように開口部が形成され、かつ前記開口部の幅を縮小する方向に付勢する楕円状バネが前記円周状インナー側溝部と係合することにより、前記インナーソケットが前記前方位置で固定され、かつ前記楕円状バネと前記円周状インナー側溝部との係合が解かれることにより、前記インナーソケットが前記前方位置から解放されるロック機構とを備える工具用ソケットであって、
前記インナーソケットは、インナーソケット本体と、前記インナーソケット本体の外周に嵌合するとともに、前記円周状インナー側溝部を備える規制部材とから構成され、
前記工具用ソケットは、
前記アウターソケットと前記楕円状バネとが組み合わされ、
前記インナーソケット本体が、前記楕円状バネが組み合わされた前記アウターソケット内に前記前方位置から前記後方位置に向かう方向に挿入され、
前記コイルバネが、前記アウターソケット内に挿入された前記インナーソケット本体の外周側かつ前記アウターソケットの内周側に、前記後方位置から前記前方位置に向かう方向に挿入され、
前記規制部材が、前記コイルバネが挿入された前記インナーソケット本体に対して前記後方位置から前記前方位置に向かう方向に挿嵌されることにより構成される
工具用ソケット。
【請求項６】
前記規制部材の前記円周状インナー側溝部より前記前方位置側に、前記後方位置から前記前方位置に向けて前記アウターソケットの内周面から離れるようにテーパー部が形成される
請求項５に記載の工具用ソケット。
【請求項７】
アウターソケットと、
前記アウターソケット内で、前記アウターソケットに対して回転軸方向に前後移動可能であり、かつ前記アウターソケットと相対回動不能に係合するインナーソケットと、
前記インナーソケットと前記アウターソケットとの間に介在し、かつ前記インナーソケットの端面が前記アウターソケットの端面よりも突出する前方位置から前記インナーソケットの端面が前記アウターソケットの端面より奥方の後方位置に向かう方向へ前記インナーソケットを付勢するコイルバネと、
前記インナーソケットの外周面の円周状インナー側溝部に一部が保持される内周部と前記アウターソケットの内周面の円周状アウター側溝部と係合する外周部とを有するとともに、長軸の頂点の１つを含むように開口部が形成され、かつ前記開口部の幅を拡大する方向に付勢する楕円状バネが前記円周状アウター側溝部と係合することにより、前記インナーソケットが前記前方位置で固定され、かつ前記楕円状バネと前記円周状アウター側溝部との係合が解かれることにより、前記インナーソケットが前記前方位置から解放されるロック機構とを備える工具用ソケットであって、
前記インナーソケットは、インナーソケット本体と、前記インナーソケット本体の外周に嵌合するとともに、前記円周状インナー側溝部を備える規制部材とから構成され、
前記工具用ソケットは、
前記アウターソケットと前記楕円状バネとが組み合わされ、
前記インナーソケット本体が、前記楕円状バネが組み合わされた前記アウターソケット内に前記前方位置から前記後方位置に向かう方向に挿入され、
前記コイルバネが、前記アウターソケット内に挿入された前記インナーソケット本体の外周側かつ前記アウターソケットの内周側に、前記後方位置から前記前方位置に向かう方向に挿入され、
前記規制部材が、前記コイルバネが挿入された前記インナーソケット本体に対して前記後方位置から前記前方位置に向かう方向に挿嵌されることにより構成される
工具用ソケット。
【請求項８】
前記アウターソケットの前記円周状アウター側溝部より前記後方位置側に、前記前方位置から前記後方位置に向けて前記インナーソケットの外周面に近づくようにテーパー部が形成される
請求項７に記載の工具用ソケット。
【考案の詳細な説明】
【技術分野】
【０００１】
本考案は、インナーソケットとアウターソケットとを備える工具用ソケットに関するものである。
【背景技術】
【０００２】
一方端のソケット部が２通りのプラグサイズの違いに対応したソケット孔を備えることにより２ウェイソケットとして機能する工具用ソケットが開示されている（特許文献１）。この特許文献１に開示される工具用ソケットにおけるインナーソケットの内蔵側端部が、アウターソケット中央部に内蔵されるばねで付勢されている。また、この工具用ソケットは、アウターソケット外周溝に配置されるリングにより所定の位置に止着されており、インナーソケット端面はアウターソケット端面よりも少し突出するように構成されている。
【先行技術文献】
【特許文献】
【０００３】
【特許文献１】特開２００８−１８８６７９号公報
【考案の概要】
【考案が解決しようとする課題】
【０００４】
しかしながら、図１１に示すように、特許文献１に開示される工具用ソケット１１００を用いると、インナーソケット孔１０２６に嵌め込まれた作業対象物１０００を締め付けようとする際に、ばね１０３０の付勢力に抗してインナーソケット１０２０がアウターソケット孔１０１６の奥方に移動してしまう。この移動が繰り返されることにより、インナーソケット１０２０とアウターソケット１０１０との間に不要な摩擦が生じるため、インナーソケット１０２０の外周部及びアウターソケット１０１０の内周部の磨耗による劣化が早まるという問題が生じていた。
【０００５】
また、インナーソケット１０２０がアウターソケット１０１０の奥方に移動し終えるまで、インナーソケット１０２０の位置が安定しない。従って、インナーソケット１０２０がアウターソケット１０１０の奥方に移動するまで、作業対象物１０００に十分な回転を与えることが困難であった。その結果、例えばボルト又はナットの締付等の作業のために無駄な時間が生じていた。
【課題を解決するための手段】
【０００６】
本考案は、上述の各々の技術課題を解決することにより、使用時の摩耗による劣化を抑制できるとともに作業時間を短縮できる工具用ソケットの実現に大きく貢献するものである。
【０００７】
考案者は、作業者の立場でインナーソケットの回転軸方向の移動の固定とその解除とを容易にできるようにすることが、上述の劣化の抑制に加えて作業時間の短縮にもつながると考えた。インナーソケットの回転軸方向のロック機構の実現に向けて鋭意研究が重ねられた結果、考案者は、作業性を格段に向上する適度なロック状態を実現するインナーソケットのロック機構の構成を見出すことに成功した。本考案は、そのような観点で創出された。
【０００８】
本考案の１つの工具用ソケットは、アウターソケットと、インナーソケットと、コイルバネと、ロック機構とを備える。ここで、前述のインナーソケットは、前述のアウターソケット内で、前述のアウターソケットに対して回転軸方向に前後移動可能であり、かつ前述のアウターソケットと相対回動不能に係合する。また、前述のコイルバネは、前述のインナーソケットと前述のアウターソケットとの間に介在し、かつ前述のインナーソケットの端面が前述のアウターソケットの端面よりも突出する前方位置から前述のインナーソケットの端面が前述のアウターソケットの端面より奥方の後方位置に向かう方向へ前述のインナーソケットを付勢する。加えて、前述のロック機構は、前述のアウターソケットの内周面の円周状アウター側溝部に一部が保持される外周部と前述のインナーソケットの外周面の円周状インナー側溝部と係合する内周部とを有するとともに、長軸の頂点の１つを含むように開口部が形成され、かつ前述の開口部の幅を縮小する方向に付勢する楕円状バネが前述の円周状インナー側溝部と係合することにより、前述のインナーソケットが前述の前方位置で固定され、かつ前述の楕円状バネと前述の円周状インナー側溝部との係合が解かれることにより、前述のインナーソケットが前述の前方位置から解放される機構である。
【０００９】
この工具用ソケットによれば、インナーソケットを上述の前方位置で固定するロック機構を備えるため、作業対象物がインナーソケットのソケット孔に嵌合する場合には、作業者は、インナーソケットが前方位置に固定された状態で作業することができる。これにより、インナーソケットとアウターソケットとの間に生じる不要な摩耗を抑制することができる。すなわち、インナーソケットの外周部及びアウターソケットの内周部の磨耗による劣化が抑えられる。また、作業対象物がインナーソケットのソケット孔に嵌合する場合には、インナーソケットがアウターソケットに対して前方位置から後方位置に向かう方向へ移動することを要しない。これにより、その移動に伴う作業時間が不要となるため、全体としての作業時間が大幅に短縮される。さらに、この工具用ソケットによれば、インナーソケットと楕円状バネとの係合が解かれることによって、インナーソケットが前方位置から後方位置に移動する際に、アウターソケットに保持される楕円状バネがインナーソケットとともに移動することがないため、楕円状バネ、インナーソケット、及びアウターソケットの摩耗も抑制される。従って、インナーソケットの外周部とアウターソケットの内周部との劣化をさらに抑制することができる。
【００１０】
また、本考案のもう1つの工具用ソケットは、アウターソケットと、インナーソケットと、コイルバネと、ロック機構とを備える。ここで、前述のインナーソケットは、前述のアウターソケット内で、前述のアウターソケットに対して回転軸方向に前後移動可能であり、かつ前述のアウターソケットと相対回動不能に係合する。また、前述のコイルバネは、前述のインナーソケットと前述のアウターソケットとの間に介在し、かつ前述のインナーソケットの端面が前述のアウターソケットの端面よりも突出する前方位置から前述のインナーソケットの端面が前述のアウターソケットの端面より奥方の後方位置に向かう方向へ前述のインナーソケットを付勢する。加えて、前述のロック機構は、前述のインナーソケットの外周面の円周状インナー側溝部に一部が保持される内周部と前述のアウターソケットの内周面の円周状アウター側溝部と係合する外周部とを有するとともに、長軸の頂点の１つを含むように開口部が形成され、かつ前述の開口部の幅を拡大する方向に付勢する楕円状バネが前述の円周状アウター側溝部と係合することにより、前述のインナーソケットが前述の前方位置で固定され、かつ前述の楕円状バネと前述の円周状アウター側溝部との係合が解かれることにより、前述のインナーソケットが前述の前方位置から解放される機構である。
【００１１】
この工具用ソケットによれば、インナーソケットを上述の前方位置で固定するロック機構を備えるため、作業対象物がインナーソケットのソケット孔に嵌合する場合には、作業者は、インナーソケットが前方位置に固定された状態で作業することができる。これにより、インナーソケットとアウターソケットとの間に生じる不要な摩耗を抑制することができる。すなわち、インナーソケットの外周部及びアウターソケットの内周部の磨耗による劣化が抑えられる。また、作業対象物がインナーソケットのソケット孔に嵌合する場合には、インナーソケットがアウターソケットに対して前方位置から後方位置に向かう方向へ移動することを要しない。これにより、その移動に伴う作業時間が不要となるため、全体としての作業時間が大幅に短縮される。
【００１２】
また、本考案のもう１つの工具用ソケットは、アウターソケットと、インナーソケットと、コイルバネと、ロック機構とを備える。ここで、前述のインナーソケットは、前述のアウターソケット内で、前述のアウターソケットに対して回転軸方向に前後移動可能であり、かつ前述のアウターソケットと相対回動不能に係合する。また、前述のコイルバネは、前述のインナーソケットと前述のアウターソケットとの間に介在し、かつ前述のインナーソケットの端面が前述のアウターソケットの端面よりも突出する前方位置から前述のインナーソケットの端面が前述のアウターソケットの端面より奥方の後方位置に向かう方向へ前述のインナーソケットを付勢する。加えて、前述のロック機構は、前述のアウターソケットの内周面の円周状アウター側溝部に一部が保持される外周部と前述のインナーソケットの外周面の円周状インナー側溝部と係合する内周部とを有するとともに、長軸の頂点の１つを含むように開口部が形成され、かつ前述の開口部の幅を縮小する方向に付勢する楕円状バネが前述の円周状インナー側溝部と係合することにより、前述のインナーソケットが前述の前方位置で固定され、かつ前述の楕円状バネと前述の円周状インナー側溝部との係合が解かれることにより、前述のインナーソケットが前述の前方位置から解放される機構である。
【００１３】
さらに、上述の工具ソケットを構成するインナーソケットは、インナーソケット本体と、そのインナーソケット本体の外周に嵌合するとともに、前述の円周状インナー側溝部を備える規制部材とから構成される。ここで、前述のアウターソケットと前述の楕円状バネとが組み合わされ、前述のインナーソケット本体が、その楕円状バネが組み合わされたそのアウターソケット内に前述の前方位置から前述の後方位置に向かう方向に挿入される。また、前述のコイルバネが、前述のアウターソケット内に挿入された前述のインナーソケット本体の外周側かつ前述のアウターソケットの内周側に、前述の後方位置から前述の前方位置に向かう方向に挿入される。また、前述の規制部材が、前述のコイルバネが挿入された前述のインナーソケット本体に対して前述の後方位置から前述の前方位置に向かう方向に挿嵌される。
【００１４】
この工具用ソケットによれば、インナーソケットを上述の前方位置で固定するロック機構を備えるため、作業対象物がインナーソケットのソケット孔に嵌合する場合には、作業者は、インナーソケットが前方位置に固定された状態で作業することができる。これにより、インナーソケットとアウターソケットとの間に生じる不要な摩耗を抑制することができる。すなわち、インナーソケットの外周部及びアウターソケットの内周部の磨耗による劣化が抑えられる。また、作業対象物がインナーソケットのソケット孔に嵌合する場合には、インナーソケットアウターがソケットに対して前方位置から後方位置に向かう方向へ移動することを要しない。これにより、その移動に伴う作業時間が不要となるため、全体としての作業時間が大幅に短縮される。さらに、この工具用ソケットによれば、インナーソケットと楕円状バネとの係合が解かれることによって、インナーソケットが前方位置から後方位置に移動する際に、アウターソケットに保持される楕円状バネがインナーソケットとともに移動することがないため、楕円状バネ、インナーソケット、及びアウターソケットの摩耗も抑制される。従って、インナーソケットの外周部とアウターソケットの内周部との劣化をさらに抑制することができる。また、この工具用ソケットによれば、アウターソケット、楕円状バネ、インナーソケット本体、コイルバネ、規制部材の順で組み合わされるため、機能性の高い工具用ソケットの製造が極めて容易に実現される。
【００１５】
また、本考案のもう1つの工具用ソケットは、アウターソケットと、インナーソケットと、コイルバネと、ロック機構とを備える。ここで、前述のインナーソケットは、前述のアウターソケット内で、前述のアウターソケットに対して回転軸方向に前後移動可能であり、かつ前述のアウターソケットと相対回動不能に係合する。また、前述のコイルバネは、前述のインナーソケットと前述のアウターソケットとの間に介在し、かつ前述のインナーソケットの端面が前述のアウターソケットの端面よりも突出する前方位置から前述のインナーソケットの端面が前述のアウターソケットの端面より奥方の後方位置に向かう方向へ前述のインナーソケットを付勢する。加えて、前述のロック機構は、前述のインナーソケットの外周面の円周状インナー側溝部に一部が保持される内周部と前述のアウターソケットの内周面の円周状アウター側溝部と係合する外周部とを有するとともに、長軸の頂点の１つを含むように開口部が形成され、かつ前述の開口部の幅を拡大する方向に付勢する楕円状バネが前述の円周状アウター側溝部と係合することにより、前述のインナーソケットが前述の前方位置で固定され、かつ前述の楕円状バネと前述の円周状アウター側溝部との係合が解かれることにより、前述のインナーソケットが前述の前方位置から解放される機構である。
【００１６】
さらに、上述の工具ソケットを構成するインナーソケットは、インナーソケット本体と、そのインナーソケット本体の外周に嵌合するとともに、前述の円周状インナー側溝部を備える規制部材とから構成される。ここで、前述のアウターソケットと前述の楕円状バネとが組み合わされ、前述のインナーソケット本体が、その楕円状バネが組み合わされたそのアウターソケット内に前述の前方位置から前述の後方位置に向かう方向に挿入される。また、前述のコイルバネが、前述のアウターソケット内に挿入された前述のインナーソケット本体の外周側かつ前述のアウターソケットの内周側に、前述の後方位置から前述の前方位置に向かう方向に挿入される。また、前述の規制部材が、前述のコイルバネが挿入された前述のインナーソケット本体に対して前述の後方位置から前述の前方位置に向かう方向に挿嵌される。
【００１７】
この工具用ソケットによれば、インナーソケットを上述の前方位置で固定するロック機構を備えるため、作業対象物がインナーソケットのソケット孔に嵌合する場合には、作業者は、インナーソケットが前方位置に固定された状態で作業することができる。これにより、インナーソケットとアウターソケットとの間に生じる不要な摩耗を抑制することができる。すなわち、インナーソケットの外周部及びアウターソケットの内周部の磨耗による劣化が抑えられる。また、作業対象物がインナーソケットのソケット孔に嵌合する場合には、インナーソケットがアウターソケットに対して前方位置から後方位置に向かう方向へ移動することを要しない。これにより、その移動に伴う作業時間が不要となるため、全体としての作業時間が大幅に短縮される。さらに、この工具用ソケットによれば、インナーソケットと楕円状バネとの係合が解かれることによって、インナーソケットが前方位置から後方位置に移動する際に、アウターソケットに保持される楕円状バネがインナーソケットとともに移動することがないため、楕円状バネ、インナーソケット、及びアウターソケットの摩耗も抑制される。従って、インナーソケットの外周部とアウターソケットの内周部との劣化をさらに抑制することができる。また、この工具用ソケットによれば、アウターソケット、楕円状バネ、インナーソケット本体、コイルバネ、規制部材の順で組み合わされるため、機能性の高い工具用ソケットの製造が容易に実現される。
【考案の効果】
【００１８】
本考案の工具用ソケットによれば、作業対象物がインナーソケットのソケット孔に嵌合する際、作業者は、インナーソケットが前方位置に固定された状態で作業することができる。従って、この工具用ソケットによれば、不要な磨耗による劣化を抑制できるとともに作業時間を短縮できる。
【図面の簡単な説明】
【００１９】
【図１】本考案の１つの実施形態の工具用ソケットを電動工具に取り付けた状態を示す平面図である。
【図２】本考案の１つの実施形態の工具用ソケットを示す平面図である。
【図３】本考案の１つの実施形態の工具用ソケットの前方位置における断面図である。
【図４】本考案の１つの実施形態の工具用ソケットの後方位置における断面図である。
【図５】本考案の１つの実施形態の工具用ソケットを構成する楕円状バネを示す正面図である。
【図６】本考案の１つの実施形態の工具用ソケットを構成する固定部材を示す正面図である。
【図７】本考案の１つの実施形態の工具用ソケットの製造工程を示す説明図である。
【図８】本考案の他の実施形態の工具用ソケットの前方位置における断面図である。
【図９】本考案の他の実施形態の工具用ソケットの後方位置における断面図である。
【図１０】本考案の他の実施形態の工具用ソケットの前方位置における断面図である。
【図１１】従来の工具用ソケットの使用状態を示す断面図である。
【考案を実施するための形態】
【００２０】
本考案の実施形態を、添付する図面に基づいて詳細に述べる。尚、この説明に際し、全図にわたり、特に言及がない限り、共通する部分には共通する参照符号が付されている。また、図中、本実施形態の要素は必ずしもスケール通りに示されていない。また、各図面を見やすくするために、一部の符号が省略されうる。
【００２１】
＜第１の実施形態＞
図１は、本実施形態の工具用ソケット１００を電動工具に取り付けた状態を示す図である。また、図２は、本実施形態の工具用ソケット１００を示す平面図である。さらに、図３は、本実施形態の工具用ソケット１００の前方位置における断面図であり、図４は、その後方位置における断面図である。
【００２２】
図１に示すように、本実施形態の工具用ソケット１００は、電動工具１１０に接続される。図１に示す状態で、ナット又はボルト等の作業対象物がインナーソケット２０のソケット孔２６又はアウターソケット１０のソケット孔１６に嵌め込まれることにより、作業者は、作業対象物を締付け、又は緩めることができる。
【００２３】
図２乃至図４に示すように、本実施形態の工具用ソケット１００は、アウターソケット１０と、アウターソケット１０と係合するインナーソケット２０と、インナーソケット２０とアウターソケット１０との間に介在するコイルバネ３０と、電動工具１１０との接続のためのチャック部材６０とを備える。
【００２４】
インナーソケット２０は、アウターソケット１０内でアウターソケット１０に対して回転軸方向に前後移動可能であり、かつアウターソケット１０と相対回転不能に係合している。また、コイルバネ３０は、インナーソケット２０の端面２１がアウターソケット１０の端面１１より突出する前方位置（図３参照）から端面２１が端面１１より奥方の後方位置（図４参照）に向かう方向（矢印Ａ方向）へインナーソケット２０を付勢する。
【００２５】
また、本実施形態の工具用ソケット１００は、さらにロック機構４０を備える。図５は、ロック機構４０の一部を構成する楕円状バネ４１を示す正面図である。
【００２６】
本実施形態のロック機構４０は、アウターソケット１０の内周面の円周状アウター側溝部１２に一部が保持される外周部４１ａと、インナーソケット２０の外周面の円周状インナー側溝部２２と係合する内周部４１ｂとを有する楕円状バネ４１を備える。この楕円状バネ４１は、長軸の頂点Ｘの１つを含むように開口部４１ｃが形成され、かつ開口部４１ｃの幅を縮小する方向に付勢されている。この楕円状バネ４１が円周状インナー側溝部２２と係合することにより、インナーソケット２０が前方位置で固定され、かつ楕円状バネ４１と円周状インナー側溝部２２との係合が解かれることにより、インナーソケット２０が前方位置から解放される。なお、楕円状バネ４１と円周状インナー側溝部２２とが係合する際には、楕円状バネ４１の短軸の頂点Ｙを含む一部分が円周状インナー側溝部２２と接触している。このため、適度な荷重によりインナーソケット２０と楕円状バネ４１との係合が解かれ得る。従って、本実施形態の工具用ソケット１００を用いれば、作業者は、例えば、片手の作業でロック機構４０を操作することができる。
【００２７】
また、本実施形態では、インナーソケット２０の円周状インナー側溝部２２より前方位置側に、後方位置から前方位置に向けてアウターソケット１０の内周面から離れるようにテーパー部２３が形成される。このため、インナーソケット２０が後方位置から前方位置に、換言すれば、インナーソケット２０を固定する方向にスムーズに移動することができる。逆に、インナーソケット２０の円周状インナー側溝部２２より後方位置側にはテーパー部が形成されていないため、上述のとおり、適度な荷重が掛からなければロックが解かれない。
【００２８】
加えて、前方位置よりもさらに前方へのインナーソケット２０の移動を規制するため、インナーソケット２０はインナー側前方規制部２４を備えるとともに、アウターソケット１０はアウター側前方規制部１４を備える。また、後方位置よりも奥方へのインナーソケット２０の移動を規制するために、インナーソケット２０はインナー側後方規制部２５を備えるとともに、アウターソケット１０はアウター側後方規制部１５を備える。
【００２９】
上述のとおり、本実施形態の工具用ソケット１００では、インナーソケット２０が前方位置で固定するロック機構４０を備える。従って、作業対象物がインナーソケット２０のソケット孔２６に嵌合する場合には、作業者は、インナーソケット２０が前方位置に固定された状態で作業することができる。その結果、インナーソケット２０とアウターソケット１０との間に生じる不要な摩耗を抑制することができる。すなわち、インナーソケット２０の外周部及びアウターソケット１０の内周部の磨耗による劣化が抑えられる。また、作業対象物がインナーソケット２０のソケット孔２６に嵌合する場合には、インナーソケット２０がアウターソケット１０に対して前方位置から後方位置に向かう方向（矢印Ａ方向）へ移動することを要しない。これにより、その移動に伴う作業時間が不要となるため、全体としての作業時間が大幅に短縮される。さらに、本実施形態の工具用ソケット１００によれば、インナーソケット２０と楕円状バネ４１との係合が解かれることによって、インナーソケット２０が前方位置から後方位置に移動する際に、アウターソケット１０に保持される楕円状バネ４１がインナーソケット２０とともに移動することがない。従って、楕円状バネ４１、インナーソケット２０、及びアウターソケット１０の摩耗も抑制される。その結果、インナーソケット２０の外周部及びアウターソケット１０の内周部の磨耗による劣化がさらに抑制され得る。
【００３０】
また、作業対象物がアウターソケット１０のソケット孔１６に嵌合する場合には、インナーソケット２０は、作業者によって後方位置に向けて適度な荷重がかけられる。その結果、インナーソケット２０と楕円状バネ４１との係合が解かれる。インナーソケット２０と楕円状バネ４１との係合が解かれると、コイルバネ３０の付勢力により、インナーソケット２０が後方位置に速やかに移動する。このようにして、アウターソケット１０による作業が行われる。また、一旦インナーソケット２０が後方位置に移動すると、コイルバネ３０の付勢力により、インナーソケット２０は後方位置に留まることになる。従って、アウターソケット１０のソケット孔１６に嵌合する作業対象物が連続する場合は、作業者は、インナーソケット２０が後方位置に留まった状態で作業を続けることができる。これにより、インナーソケット２０とアウターソケット１０との間に生じる不要な摩耗を格段に抑制することができる。すなわち、インナーソケット２０の外周部及びアウターソケット１０の内周部の磨耗による劣化が抑えられる。
【００３１】
本実施形態においては、インナーソケット２０は、インナーソケット本体２０ａと、インナーソケット本体２０ａの外周に嵌合する規制部材２０ｂとから構成される。規制部材２０ｂは、上述の円周状インナー側溝部２２と、上述のテーパー部２３と、上述のインナー側前方規制部２４とを有する。加えて、この規制部材２０ｂは、インナーソケット本体２０ａに対して前方位置から後方位置に向かう方向（矢印Ａ方向）の移動を固定リング５０により規制される。なお、図６は固定リング５０を示す正面図である。固定リング５０は、開口部５１を有する。この固定リング５０の内周部５２は、規制部材２０ｂの後方に形成される固定溝２７と嵌合することにより、固定リング５０がインナーソケット２０に固定される。
【００３２】
次に、本実施形態の工具用ソケット１００の製造工程について説明する。図７は、本実施形態の工具用ソケット１００の製造工程を示す説明図である。
【００３３】
この工具用ソケット１００を製造する際には、まず、図７（ａ）に示すように、楕円状バネ４１がアウターソケット１０内に挿入されることにより、アウターソケット１０と楕円状バネ４１とが組み合わされる。次に、図７（ｂ）に示すように、インナーソケット本体２０ａが、楕円状バネ４１と組み合わされたアウターソケット１０内に前方位置から後方位置に向かう方向（矢印Ａ方向）に挿入される。さらに、図７（ｃ）に示すように、コイルバネ３０が、アウターソケット１０内に挿入されたインナーソケット本体２０ａの外周側であって、かつアウターソケット１０の内周側に、後方位置から前方位置に向かう方向（矢印Ｂ方向）に挿入される。その後、図７（ｄ）に示すように、規制部材２０ｂが、コイルバネ３０が挿入されたインナーソケット本体２０ａに対して後方位置から前方位置に向かう方向（矢印Ｂ方向）に挿嵌される。その後、図７（ｅ）に示すように、固定リング５０が、規制部材２０ｂが挿嵌されたインナーソケット本体２０ａに対して紙面垂直方向から嵌合する。さらに、図７（ｆ）に示すように、電動工具１１０との接続のためのチャック部材６０がインナーソケット本体２０ａに対して組み合わされる。
【００３４】
上述の順序で工具用ソケット１００が製造されることにより、機能性の高い工具用ソケット１００の製造が極めて容易に実現される。
【００３５】
＜第２の実施形態＞
図８は、本実施形態の工具用ソケット２００の前方位置における断面図であり、図９は、その後方位置における断面図である。
【００３６】
本実施形態の工具用ソケット２００は、アウターソケット１０の代わりにアウターソケット２１０を備え、インナーソケット２０の代わりにインナーソケット２２０を備え、ロック機構４０の代わりにロック機構２４０を備える。これらの点以外は、第１の実施形態の工具用ソケット１００と同じ構成を備える。従って、第１の実施形態と重複する説明は省略され得る。
【００３７】
本実施形態のインナーソケット２２０は、インナーソケット本体２２０ａと規制部材２２０ｂとを備える。規制部材２２０ｂは、テーパー部２３を備えない点以外は、第１の実施形態の規制部材２０ｂと同じ構成を備える。インナーソケット本体２２０ａは、インナー側溝部２２の代わりにインナー側溝部２２２を備える点以外は第１の実施形態のインナーソケット本体２０ａと同じ構成を備える。また、アウターソケット２１０は、アウター側溝部１２の代わりにアウター側溝部２１２を備える点以外は、第１の実施形態のアウターソケット１０と同じ構成を備える。加えて、図５に示すように、本実施形態のロック機構２４０を構成する楕円状バネ２４１は、楕円状バネ４１と同様に開口部２４１ｃを備えている。但し、本実施形態の楕円状バネ２４１は、開口部２４１ｃの幅を拡大する方向に付勢する点で、第１の実施形態の楕円状バネ４１と異なる。
【００３８】
この楕円状バネ２４１の内周部２４１ｂの一部がインナーソケット２２０の内周面の円周状インナー側溝部２２２に保持され、かつ楕円状バネ２４１の外周部２４１ａがアウターソケット２１０の外周面の円周状アウター側溝部２１２と係合する。本実施形態では、この楕円状バネ２４１が円周状アウター側溝部２１２と係合することにより、インナーソケット２２０が前方位置で固定され、かつ楕円状バネ２４１と円周状アウター側溝部２１２との係合が解かれることにより、インナーソケット２０が前方位置から解放される。
【００３９】
なお、楕円状バネ４１と円周状アウター側溝部２１２とが係合する際には、楕円状バネ２４１の短軸の頂点Ｙを含む一部分が円周状アウター側溝部２１２と接触している。このため、適度な荷重によりアウターソケット２１０と楕円状バネ２４１との係合が解かれ得る。従って、本実施形態の工具用ソケット１００を用いれば、作業者は、例えば、片手の作業でロック機構４０を操作することができる。
【００４０】
また、本実施形態のインナーソケット２２０はテーパー部２３を備えないため、インナー側溝部２２２と楕円状バネ２４１との係合が比較的解かれ難くなる。従って、インナーソケット２２０の前方位置と後方位置との間の移動に伴い、楕円状バネ２４１がインナー側溝部２２２に係合された状態で前方位置と後方位置との間を移動する。
【００４１】
本実施形態の工具用ソケット２００を用いることにより、第１の実施形態の効果の一部が奏される。但し、本実施形態の工具用ソケット２００は、楕円状バネ４１と円周状アウター側溝部２１２との係合が解かれた後、インナーソケット２２０とともに楕円状バネ４１が後方位置に移動する。従って、その移動の際に、楕円状バネ４１によってアウターソケット２１０の内周部が摩耗する可能性が高まる。従って、磨耗による劣化を抑制する観点から、第1の実施形態の工具用ソケット１００が採用されることが好ましい。
【００４２】
＜その他の実施形態＞
ところで、第１の実施形態においては、インナーソケット２０にテーパー部２３が形成される構成が採用されているが、テーパー部２３が形成されない構成が採用されても、本考案の一部の効果が奏される。但し、インナーソケット２０の後方位置から前方位置への移動をスムーズにさせる観点から言えば、インナーソケット２０がテーパー部２３を備えることは好ましい一態様である。
【００４３】
また、上述した実施形態においては、固定リング５０により規制部材２０ｂの移動が規制される構成が採用されているが、この構成に限られない。規制部材２０ｂの移動の規制は、インナーソケット本体２０ａ，２２０ａとの羅合や接着等の公知の固定手段により行われても、上述の各実施形態の効果と同様の効果が奏される。
【００４４】
さらに、上述した第２の実施形態においては、楕円状バネ２４１を保持するアウターソケット２１０を備える構成が採用されているが、この構成に限られない。例えば、図１０に示す工具用ソケット３００は、第２の実施形態のアウターソケット２１０の代わりにテーパー部３１３が形成されたアウターソケット３１０を備えている。このテーパー部３１３は、アウターソケット３１０の円周状アウター側溝部１１より後方位置側に、前方位置から後方位置に向けてインナーソケット２２０の外周面に近づくように形成される。その結果、インナーソケット２２０が前方位置から後方位置にスムーズに移動することができる。但し、インナーソケット２２０の前方位置での固定の確実性の観点から言えば、テーパー部３１３が形成されない第２の実施形態の工具用ソケット２００が採用されることは好ましい一態様である。なお、上述の各実施形態では、公知の材料が適宜選択されて用いられる。代表的な例としては、クロムモリブデン鋼が挙げられる。
【００４５】
以上、述べたとおり、各実施形態の他の組合せを含む本考案の範囲内に存在する変形例もまた、実用新案登録請求の範囲に含まれるものである。
【産業上の利用可能性】
【００４６】
本考案は、インナーソケットとアウターソケットとを備える工具用ソケットとして広く利用され得る。
【符号の説明】
【００４７】
１０，２１０，３１０，１０１０    アウターソケット
１１    アウターソケットの端面
１２，２１２    円周状アウター側溝部
１４    アウター側前方規制部
１５    アウター側後方規制部
１６，１０１６    アウターソケットのソケット孔
２０，２２０，１０２０    インナーソケット
２０ａ，２２０ａ    インナーソケット本体
２０ｂ，２２０ｂ    規制部材
２１    インナーソケットの端面
２２，２２２    円周状インナー側溝部
２３    テーパー部
２４    インナー側前方規制部
２５    インナー側後方規制部
２６，１０２６    インナーソケットのソケット孔
２７    固定溝
３０    コイルバネ
４０，２４０    ロック機構
４１，２４１    楕円状バネ
４１ａ，２４１ａ    外周部
４１ｂ，２４１ｂ    内周部
４１ｃ，２４１ｃ    開口部
５０    固定リング
５１    開口部
５２    内周部
６０    チャック部材
１００，２００，１１００    工具用ソケット
３１３    テーパー部
１０００    作業対象物
１０３０    ばね
【図１】
0003154146.tif 000003
【図２】
0003154146.tif 000004
【図３】
0003154146.tif 000005
【図４】
0003154146.tif 000006
【図５】
0003154146.tif 000007
【図６】
0003154146.tif 000008
【図７】
0003154146.tif 000009
【図８】
0003154146.tif 000010
【図９】
0003154146.tif 000011
【図１０】
0003154146.tif 000012
【図１１】
0003154146.tif 000013